(57)【要約】【課題】包装された米飯加工食品を極めて容易に取出すことができるとともに、高級感を漂わせた米飯加工食品の包装物をできるだけ少ないコストで提供する。【解決手段】表シート１と裏シート２、３とを備え、且つ表シート１には幅方向の略中央に開封用のカットテープ４が設けられ、該カットテープ４によって表シート１に幅広の開口部１６を形成する構成にしてなる米飯加工食品の包装体であって、前記カットテープ４が、長手方向両端部６、６より該両端部６、６に挟まれた領域のほうが幅広となるシート状に形成されかつマット処理が施されてなることを特徴とする米飯加工食品の包装体。【選択図】　　　　　図１
2004081175.tif 000002
【特許請求の範囲】
【請求項１】
表シート（１）と裏シート（２）、（３）とを備え、且つ表シート（１）には幅方向の略中央に開封用のカットテープ（４）が設けられ、該カットテープ（４）によって表シート（１）に幅広の開口部（１６）を形成する構成にしてなる米飯加工食品の包装体であって、前記カットテープ（４）が、長手方向両端部（６）、（６）より該両端部（６）、（６）に挟まれた領域のほうが幅広となるシート状に形成されかつマット処理が施されてなることを特徴とする米飯加工食品の包装体。
【請求項２】
前記カットテープ（４）が、熱可塑性樹脂フィルムにレーヨン紙が積層された積層フィルムで構成されている請求項１記載の米飯加工食品の包装体。
【発明の詳細な説明】
【０００１】
【発明の属する技術分野】
本発明は、米飯加工食品の包装体の改良に関する。
【０００２】
【従来の技術】
海苔巻きおにぎり等の米飯加工食品を包装する包装体として、例えば特許第３０７６３３８号には、表シートと裏シートとを備え、且つ表シートには幅方向の略中央に開封用のカットテープが設けられ、該カットテープによって表シートに幅広の開口部を形成する構成にしてなる米飯加工食品の包装体であって、前記カットテープが、該カットテープの長手方向両端部より該両端部に挟まれた領域のほうが幅広になるようにシート状に形成されてなる米飯加工食品の包装体が開示されている。
【０００３】
このようにして形成される包装体の表シートと裏シートとの間には、例えば、平面視略矩形状に形成された海苔が挟まれて、よって、表シートを外側とし、且つ裏シートを内側として該内側の裏シート上面に、例えばおにぎりを載置して巻回することで、かかるおにぎりを包装することが出来るものである。
【０００４】
この包装体は、前記カットテープによって表シートに幅広の開口部を形成することから、該包装体で包装された包装物の開封時における表シートの開封面積を大きく形成することができ、更に、長手方向両端部より該両端部に挟まれた領域のほうが幅広になるように形成されたカットテープが、シート状に形成されてなるので、開封時に確実に表シートをカットテープの幅広部と略同形状で開封することができ、包装されている米飯加工食品を極めて容易に取り出すことができる。
【０００５】
【発明が解決しようとする課題】
ところで、最近の消費者の嗜好としては、高級感がただようものが好まれる傾向があり、米飯加工食品を選択する場合も同様である。従って、米飯加工食品の包装体についても、取扱い易さだけでなく、消費者の購買意欲をかきたてるように、高級感が漂うものが求められるようになってきている。しかし、前記米飯加工食品の包装体は、米飯加工食品を包装する表シート、裏シートおよびカットテープが透明の合成樹脂フィルムで構成されているため、包装されている米飯加工食品がそのまま消費者の目に写る状態で陳列されているというのが現状である。このように、米飯加工食品がそのまま透けて見える包装体で包装された包装物は、高級感が漂うとはとても言えず、消費者の購買意欲をかきたてることができない。とは言え、米飯加工食品を包装する包装体にコストをかけすぎることも望ましくない。
【０００６】
本発明は、上記問題点を解決するためになされたもので、包装されている米飯加工食品を極めて容易に取出すことができるとともに、高級感を漂わせた米飯加工食品の包装物をできるだけ少ないコストで提供することを課題とするものである。
【０００７】
【課題を解決するための手段】
本発明は上記課題を解決するためになされたもので、本発明の米飯加工食品の包装体は、表シート１と裏シート２、３とを備え、且つ表シート１には幅方向の略中央に開封用のカットテープ４が設けられ、該カットテープ４によって表シート１に幅広の開口部１６を形成する構成にしてなる米飯加工食品の包装体であって、前記カットテープ（４）が、長手方向両端部（６）、（６）より該両端部（６）、（６）に挟まれた領域のほうが幅広となるシート状に形成されかつマット処理が施されてなることを特徴とする。
【０００８】
本発明の包装体は、前記カットテープ４によって、表シート１に幅広の開口部１６を形成することから、包装物の開封時における表シート１の開封面積を米飯加工食品を容易に取出し可能とすべく大きく形成することができ、且つ該カットテープ４は、長手方向両端部６，６より該両端部６，６に挟まれた領域のほうが幅広となるシート状に形成されているので、開封時に確実に表シート１をカットテープ４と略同形状で開封することができ、包装されている米飯加工品を極めて容易に取出すことができる。さらに、カットテープ４にはマット処理が施されているので、包装されている米飯加工食品はこのカットテープ４を介してぼんやりと見え、包装物を高級感の漂う商品として消費者に印象づけることができ、消費者の購買意欲をかきたてることができる。しかも費用のかかるマット処理はこのカットテープ４にのみ施されているのでコストも低く抑えることができる。
【０００９】
前記カットテープ４としては、熱可塑性樹脂フィルムにレーヨン紙が積層された積層フィルムが好ましい。
和紙のような漉き模様が形成されている半透明のレーヨン紙を使用することにより、本発明の米飯加工食品の包装体によって包装された包装物を、より高級感の漂う商品として消費者に印象づけることができる。
【００１０】
【発明の実施の形態】
以下、本発明の一実施形態について図面に基づいて説明する。図１は本発明に係る米飯加工食品の一つである三角海苔巻きおにぎりａを包装する際に用いられる包装体の一実施形態を示す正面図であり、図２は図１の裏面図であり、図３（ａ）は図２のＡ−Ａ線断面図で、図３（ｂ）は図３（ａ）のｃ部の拡大図である。
【００１１】
図１及び図２において、１　は例えばポリプロピレンフィルムにより形成され、必要に応じてその表面に装飾用等の印刷が施された略矩形状の表シートを示し、２は例えばポリエチレンフィルムで形成される左の裏シート、３は左の裏シート２と同様の材質で形成される右の裏シートをそれぞれ示す。
【００１２】
尚、表シート１の幅方向（即ち、図１においては左右方向）の略中央には、長手方向（縦方向）に沿ってカットテープ４が設けられている。また、表シートの長手方向両端部には、カットテープ４の長手方向両端部６，６を挟むように切り込み１７，１７がそれぞれ設けられている。
【００１３】
又、前記カットテープ４は、両端部６，　６、例えば、端縁から約５〜１５ｍｍの幅が、それ以外の部分よりも小さくなるよう、即ち、換言すると、両端部６，　６（両端部６，　６を除く部分）間に該カットテープ４の最大幅となる幅広部５を有した略楕円形シート状に形成されている。
【００１４】
前記カットテープ４にはマット処理が施されている。
ここでマット処理とは、シートあるいはフィルム等の表面艶消し処理のことを言う。カットテープ４は、マット処理が施されることによって艶消し状態になり、結果として半透明あるいは不透明になっている。
前記シートあるいはフィルム等の表面艶消し処理は、表面に砂を吹き付けるサンドブラスト法、有機溶剤等で表面をエッチングするエッチングマット法、表面にマット剤をコーティングするマット剤コーティング法、梨地や漉き模様等の艶消し用の表面を備えたロールを通すマットロール法等の機械的加工によってフィルム等の表面の艶を消す方法でも、フィルム等の製造時に艶消し剤等を使用して、艶のない表面をもつフィルム等を得る方法でもよい。
更に本発明に於いては、上記マット処理が施されたものとして、透明あるいは半透明の合成樹脂フィルムにレーヨン紙のような本来半透明あるいは不透明な材質を積層したものも含まれる。更に半透明あるいは不透明な材質そのものも含まれる。
【００１５】
本実施形態では、カットテープ４として、図３（ｂ）に示されるような、熱可塑性樹脂の薄いフィルム４２に化学繊維紙の一種であるレーヨン紙４１が所定のコーティング処理によって接着された積層フィルムが使用されている。
【００１６】
前記レーヨン紙４１には、表面に漉き模様が形成されている。漉き模様は、例えば和紙に見られるように、繊維の延びる筋が所々顕出されていて、デザイン的に極めて優美な模様であるため、米飯加工食品の包装物に高級感を付与する模様として極めて好適である。
このような漉き模様が形成される材料としては、アセチルセルロース、酢酸・硝酸セルロース、メチルセルロース、エチルセルロース、カルボキシメチルセルロース等のセルロース誘導体から造られるレーヨン紙、和紙等が挙げられる。
レーヨン紙は、その製造工程で漉き模様を付与する所定の処理が施されることによって、所望の漉き模様を形成することができる。
【００１７】
左の裏シート２は、図２及び図３（ａ）に示すように、表シート１の左半分よりも若干広い範囲にわたって表シート１に重ねられている。即ち、表シート１の略中央で左の裏シート２と右の裏シート３が重なり合うように形成されており、前記表シート１及び裏シート２，　３の外縁部を熱シールするシール部１０を介して平面視略矩形状に切断加工された海苔８が収納される収納部７が形成されている。
【００１８】
又、図３（ａ）に示すように、左の裏シート２の右端部２ａはカットテープ４の中央を超えて若干右側まで延び、その後折り返されて一方の折り返し部２ｂを形成しており、右の裏シート３の左端部３ａはカットテープ４の中央を超えて若干左側まで延び、その後折り返されて他方の折り返し部３ｂを形成している。
【００１９】
表シート１にはカットテープ４が以下のようにして設けられる。
前記熱可塑性樹脂フィルムにレーヨン紙が積層されたカットテープ用フィルムの巻回されたロールから送り出される前記カットテープ用フィルムを、カットテープの切り出し装置に供給し、所望の形状にカットしてカットテープ４の連続帯状体を得る。該連続帯状体を、別のロールから送り出される、表シート１となるポリプロピレンフィルムに積層し、超音波で接着（熱シール）して、連続帯状体とポリプロピレンフィルムとの積層フィルムを得る。該フィルムを所定の長さにカットして、カットテープ４の接着された表シート１を得る。尚、前記切り出し装置からの連続帯状体の送り出しおよびロールからのポリプロピレンフィルムの送り出しと、これらの超音波による接着とを同期させ、接着によって表シート１を形成した時、カットテープ４の端部６が必ず２つの切り込み１７、１７の間に来るようにポリプロピレンフィルムと連続帯状体とを積層する。
【００２０】
カットテープ４を収納部７側にして、表シート１と裏シート２，　３の長手方向外縁部を熱シールしてシール部１０とし、切り込み１７，１７より中央部よりの幅方向外縁部を熱シールしてシール部１０’とすることで包装体９を形成する。この時、シール部１０’は、カットテープ４による包装物１５の開封を妨げない程度の細い幅に形成する。
包装体９には、おにぎりａの頂部を包むように表シート１の両端部を折り曲げて包装した状態からカットテープ４を用いて開封する際、表シート１の両端の重なり部分によってカットテープ４による開封が阻害されにくいよう、包装体９の一端側の一辺（図１，２においては上側の一辺）９ａの両側部に、該一辺９ａから包装体９のそれぞれの両側端部９ｂ、９ｂにかけて、略くの字状の切り欠き９ｃ、９ｃが設けられている。それらに続いて両側端部９ｂ、９ｂにはのこぎり歯状の切り欠き９ｄ、９ｄが設けられている。又、前記一辺９ａに向かいあう他辺９ｅから、包装体９のそれぞれ両側端部９ｂ’、９ｂ’にかけて、略くの字状の切り欠き９ｆ、９ｆが設けられている。
【００２１】
次に、上述のように構成された包装体９を使用する場合について、図４を参照しながら説明する。
【００２２】
海苔８が収納部７に収納された包装体９の裏シート２、３上に、所定形状、例えば米飯加工食品としての三角形状おにぎりａを載置し（図４ａ）、包装体９の辺９ｅ側からおにぎりａを包装していく（矢印Ａ）。包装体９をおにぎりａの底面ａ３、上面ａ１に重ねることによって、おにぎりａを包装体９で挟む（図４ｂ）。前記上面ａ１を覆う表シート１の両側部をおにぎりａの側面ａ２に沿うよう重ね合わせた後（矢印Ｂ）、前記側面ａ２に重ならなかった部分をおにぎりａの幅方向両側に来るように折り曲げ、おにぎりａの下面ａ４を覆う表シート１に重ね合わせる（図４ｃ）。次いでおにぎりａの幅方向両側にある表シート１を側面ａ２から上面ａ１にかけて重ね合わせる。その後、例えば、略くの字状切れ込み９ｃ、９ｃの下端部９ｈ、９ｈ（図９）を表シート１に熱シール（図示せず）するか、ラベル又はテープ等によって貼付（図示せず）することで、図５に示すように、おにぎりａを完全包装することができる。
【００２３】
次に、上述のように、包装体９によっておにぎりａを完全包装した包装物１５からおにぎりａを取り出して食する際には、図６に示すように、先ず、食する人側に位置するカットテープ４の両端部６，６の一方（通常は熱シール、ラベル又はテープ等が用いられていない表面側に位置するテープ）を挟んで設けられた切り込み１７，１７の間のカットテープ端部６を摘まんで手前に引くことにより、図７に示すように、極めて簡単かつ確実に表シート１を開封することが出来る。
【００２４】
その際、表シート１　には幅方向の略中央にのびる開封用のカットテープ４が設けられ、且つ該カットテープ４には、両端部６，　６に挟まれる領域内に該カットテープ４の最大幅となる幅広部５を有した略楕円状に形成されていることから、かかるカットテープ４を介して開封される表シート１も幅広部５と略同じ大きさ及び形状を有した幅広の開口部１６を有すべく開封されることとなり、しいては開封後の表シート１の残存面積をわずかなものにすることが出来る。
【００２５】
本実施の形態においては、図９に示すように、切り欠き９ｃ、９ｃの下端部９ｈ、９ｈを表シート１に固着あるいは貼着することによって、該固着あるいは貼着箇所がカットテープ４に覆い被さり、カットテープ４による表シート１の開封を妨げることを防いでいる。また、包装物１５を開封する時、カットテープ４による表シート１の開封を妨げないように略くの字状の切り欠き９ｃ、９ｃが設けられているので、表シート１の重なる面積が少なくなり、カットテープ４による開封をよりスムーズに行うことができる。
さらに、本実施の形態においては、前記略くの字状の切れ込み９ｃ、９ｃに続いてのこぎり歯状の切れ込み９ｄ、９ｄが設けられているので、図１０に示すように、カットテープ４の幅が広く、包装時における切れ込み９ｃ、９ｃ縁部間の距離を超える場合であっても、のこぎり歯状の切れ込み９ｄの角に、カットテープ４がひっかかることによって、カットテープ４が設けられていないシート部９ｇの開封を可能にすることができ、表シール１の開封を最後までスムーズに行うことができる。
【００２６】
従って、その後、図８に示すように、それぞれ二分されて残存する包装体９，９のそれぞれを把持し、互いに離間する方向に引っ張って取り除く際において、おにぎりａから引き剥がされる包装体９，９の接触抵抗を小さくすることが可能となり、よって残存する包装体９，９がおにぎりａから取り除きやすくなると同時に、表シート１に形成された幅広の開口部１６よりおにぎりａを極めて容易に取り出すことができるという利点がある。
【００２７】
更に、上記の如く包装物１５に形成される幅広の開口部１６が、カットテープ４によって形成されるので、包装体の表シート１に該カットテープ４を設けるだけで、何ら特別な加工等を包装体に施すことなく、開封時における表シート１の開封面積を簡単に大きくすることができるという利点がある。
【００２８】
更に、上記実施形態の如く、幅広部５を有したカットテープ４が、シート状に形成されてなるので、開封時において、確実に表シート１をカットテープ４の幅広部５と略同形状で開封することができるという利点がある。
【００２９】
又、前記包装物１５を陳列した時、消費者の目に一番止まりやすい、表シート１に設けられたシート状カットテープ４にマット処理が施されているので、包装されている米飯加工食品が、漉き模様が形成された半透明のレーヨン紙を介してぼんやりと見えるため、高級感の漂う商品として消費者に印象づけることができ、消費者の購買意欲をかきたてることができる。しかもコストのかかるマット処理は、消費者の目に止まり易いカットテープ４にのみ施されているので、コストも低く抑えることができる。
【００３０】
尚、上記実施の形態において、カットテープ４の形状は、上述の各実施の形態における略楕円形状等に限定されることなく、例えば略円形状や略四角形状、菱形形状等であってもよく、要はカットテープ４が、該カットテープ４の長手方向の両端部６，６よりも該両端部６，６に挟まれた領域のほうが幅広になるように形成されていればよい。また、カットテープ４の大きさも特に限定されないが、おにぎりａ全体を覆い隠す程度の大きさが好ましい。
【００３１】
更に、上記実施形態では、カットテープ４として、透明な熱可塑性樹脂フィルムにレーヨン紙が積層されたフィルムが使用されたが、透明な熱可塑性樹脂フィルムに代えて、半透明の熱可塑性樹脂フィルムを使用することもできる。この場合、前記レーヨン紙の漉き模様も半透明の熱可塑性樹脂フィルムを通して見えるため、ぼんやりとした情緒が醸し出され、さらにより高級感に富んだ印象を消費者に与えることができる。
又レーヨン紙は、表シート１に超音波を用いて熱シールすることができるので、レーヨン紙そのものをカットテープ４として用いることもできる。
【００３２】
上記実施形態では、カットテープ４を表シート１の裏に超音波を用いて熱シールしているが、熱シールの方法は特に限定されない。また、カットテープ４の全面を表シート１に熱シールしてもよく、外縁部のみを熱シールしてもよく、さらには任意の場所を部分的に熱シールしてもよい。さらにカットテープ４を表シート１に設ける方法も特に熱シールに限定されるものではない。
【００３３】
上記実施形態において、表シート１の材質をポリプロピレン、裏シート２，３の材質をポリエチレン等、熱可塑性樹脂フィルム等の合成樹脂フィルムにより形成したが、要は湿気を通さず、且つ好ましくは滑りのよいものであれば、他の材質であってもよいのは言うまでもない。又、表シート１はカットテープ４が見える材質であればよく、透明の材質が好ましい。
【００３４】
更に、上記実施形態において、包装体９の一端側の一辺９ａの両端に設けられる切り欠き９ｃを略くの字形状としたが、この形状は決してくの字状に限定されることなく適宜選択されるものである。
【００３５】
【発明の効果】
本発明の米飯加工食品の包装体は、包装された米飯加工食品を極めて容易に取出すことができ、しかも高級感を漂わせた米飯加工食品の包装物をできるだけ少ないコストで提供する。
【図面の簡単な説明】
【図１】本発明に係る米飯加工食品の包装体の一実施形態を示す正面図。
【図２】図１の裏面図。
【図３】（ａ）図２のＡ−Ａ線断面図。
（ｂ）図３（ａ）のｃ部の拡大図。
【図４】米飯加工食品の包装体の使用状態を示す斜視図。
【図５】完成した包装物を示す斜視図。
【図６】包装物の開封状態を示す斜視図。
【図７】包装物の開封状態を示す斜視図。
【図８】包装物の開封状態を示す斜視図。
【図９】包装物の頂部付近を示す裏面図。
【図１０】包装物の頂部付近を示す別の裏面図。
【符号の説明】
１…表シート、２…裏シート、３…裏シート、４…カットテープ、５…幅広部、９…包装体、１５…包装物、１６…幅広の開口部
【図１】
2004081175.tif 000003
【図２】
2004081175.tif 000004
【図３】
2004081175.tif 000005
【図４】
2004081175.tif 000006
【図５】
2004081175.tif 000007
【図６】
2004081175.tif 000008
【図７】
2004081175.tif 000009
【図８】
2004081175.tif 000010
【図９】
2004081175.tif 000011
【図１０】
2004081175.tif 000012